(57)【要約】【課題】  ベランダやバルコニーに面した吐き出し窓のように、人が頻繁に出入りする窓に設置する日除けとして有効な日除け装置を提供すること。【解決手段】互いに着脱可能な第１部材と第２部材を有する接合部材と、窓または戸を覆う遮光性素材で形成されたシート状の日除けと、を備え、第２部材は引き違い窓の屋外側のフレームの屋外側の面と、もう１つの屋内側フレームにおいて開放時に屋外側フレームと重ならない部分の屋外側の面、または、外枠の屋外側の面に設けられ、第１部材はシート状の日除けにおいて第２部材と対応する位置に設けられた日除け装置。 【選択図】  図１
2016050467.tif 000002
【特許請求の範囲】
【請求項１】
屋外側に配置された第１フレーム（４）と、屋内側に配置された第２フレーム（５）とが互いに引き違う窓または戸の透光部を覆って屋内に差し込む日光を遮る日除け装置であって、互いに着脱可能な第１部材と第２部材を有する接合部材と、窓または戸の透光部を覆う遮光性素材で形成されたシート状の日除け（１）と、を備え、
第２部材は、
第１フレームの屋外側の面（３ａ）と、
第２フレームにおいて窓または戸の開放時に第１フレームと重ならない部分の屋外側の面（３ｂ）、または、窓または戸を閉じた時に第２フレームが係合する上下に延びる窓または戸の外枠の屋外側の面（６ｂ）と、に設けられ、
第１部材は、
シート状の日除けにおいて第１フレームに設けられた第２部材（３ａ）と対応する位置（２ａ）と、
上記第２フレームに設けられた第２部材（３ｂ）、または、窓または戸の外枠に設けられた第２部材（６ｂ）と対応する位置（２ｂ）と、に設けられた日除け装置（１００）。
【発明の詳細な説明】
【技術分野】
【０００１】
本発明は、一般家屋の窓または戸を覆う形で設置する日除け装置に関する。
【背景技術】
【０００２】
窓または戸の透光部を通って屋内に照射される日光により室温が上昇するのを防ぐための遮光器具として、窓または戸の屋内側に設置するカーテン、ブラインド、すだれ、窓の屋外側に設置するよしず、サンシェード、遮光ネット、緑のカーテンなどがある。
【０００３】
室温の上昇防止の観点からすると、屋内に設置する遮光器具は、それ自体が日光を受けることによって温度が上昇し、さらにその遮光器具の温度上昇が室温の上昇の原因となるので、屋外に設置するよしず、サンシェード、遮光ネット、緑のカーテン等の方が屋内の温度上昇の原因にならないので、より効果的である。
また、屋内設置の遮光器具は透光部を透過する日光だけを遮るのに対し、屋外設置のものは透過光に加え透光部以外の部分に当たる日光も遮り、窓または戸の温度上昇が熱伝導によって室温が上昇することを抑えられる点でもより効果的である。
【０００４】
なお、本願発明に関連する公知技術として次の特許文献を挙げることができる。
【先行技術文献】
【特許文献】
【０００５】
【特許文献１】特開２００６−１２５１１９号公報
【発明の開示】
【発明が解決しようとする課題】
【０００６】
屋外設置の遮光器具であるよしず、サンシェード、遮光ネット、緑のカーテン等は、設置された状態では一時的に開放したり、すぐに元の設置状態に戻したりするのが屋内設置のカーテン等と比べるとより手間がかかる。
その理由として、屋外設置の日除けは、風によって外れたり動いたりすることがないように一般的にある程度の強度を伴った設置手段が必要であることが挙げられる。
よしずはある程度の重みによって地面に立てかけられている状態で安定するようになっているため、その重みが一時的な開閉を煩わしくしている。
固定されているものと紐で縛って設置するサンシェードの場合、一時的に開閉するにはその紐をほどいたり再度縛ったりの煩わしい作業を必要とする。
カーテンと同様に、窓の上端付近に据え付けられたひもや棒をレールとしてそこに吊るして設置し、レールに沿って水平移動させて開閉できる遮光ネットが製品化されているが、その設置方法だと風の影響で遮光ネットが動いてしまうので、窓または戸の遮光のためには更に固定して風では容易に動かないようにする必要があり、その結果日除けの一時的な開閉が  煩わしいものになる。
緑のカーテンは窓際に植物を根付かせることで日除けとするので、一時的に動かすことは基本的にできない。
【０００７】
以上の遮光器具の一時的な開閉の煩わしさは、特にベランダやバルコニーに通じる掃き出し窓のように、人の出入りが頻繁に行われる窓において、出入りの妨げになる問題になる。
【課題を解決するための手段】
【０００８】
屋外側に配置された第１フレーム（４）と、屋内側に配置された第２フレーム（５）とが互いに引き違う窓または戸の透光部を覆って屋内に差し込む日光を遮る日除け装置であって、互いに着脱可能な第１部材と第２部材を有する接合部材と、窓または戸の透光部を覆う遮光性素材で形成されたシート状の日除け（１）と、を備え、
第２部材は、
第１フレームの屋外側の面（３ａ）と、
第２フレームにおいて窓または戸の開放時に第１フレームと重ならない部分の屋外側の面（３ｂ）、または、窓または戸を閉じた時に第２フレームが係合する上下に延びる窓または戸の外枠の屋外側の面（６ｂ）と、に設けられ、
第１部材は、
シート状の日除けにおいて第１フレームに設けられた第２部材（３ａ）と対応する位置（２ａ）と、
上記第２フレームに設けられた第２部材（３ｂ）、または、窓または戸の外枠に設けられた第２部材（６ｂ）と対応する位置（２ｂ）と、に設けられた日除け装置（１００）。
【０００９】
この接合部材の箇所は、日除けを設置した状態において、窓の開放を妨げない箇所のみに限定している。
さらに日除けがシート状であることにより、日除けを設置した状態で窓を開けるにしたがって日除けがたわむので、このことも窓の開閉を妨げない。
以上のことにより、日除けを設置した状態で窓を開閉することにより、簡単に日除けの一時的な開閉を行うことが出来る。
【００１０】
日除けと窓フレームもしくは窓の外枠との接続部材として、面ファスナー、磁石、ホック等を用いる。
粘着タイプの面ファスナー等を窓フレームもしくは窓の外枠に貼り付け、シート状の日除けの窓と接する面上の相対する位置に、窓側の接合部材と対象の接合部材をつけて、シート状の日除を窓に設置する。
【発明の効果】
【００１１】
以上説明したように本発明によれば、屋外に設置する窓用の日除けとして、よしず、サンシェード、遮光ネット、緑のカーテンと比較して、窓又は戸を開放するだけで容易に日除けも一時的に開放することが可能になる。
これは特にベランダやバルコニーに面した吐き出し窓のように、人が頻繁に出入りする窓に設置する日除けとして有効である。
【図面の簡単な説明】
【００１２】
【図１】本発明の実施形態を示す日除けを窓に設置する概観斜視図。
【図２】図１の閉じられている引き違い窓のフレームに日除けを設置した状態の水平断面図。
【図３】図２の状態から引き違い窓を開いた時の水平断面図。
【図４】引き違い窓に付いている閉じられた網戸のフレームと窓の外枠に日除けを設置した状態の水平断面図。
【図５】図４の状態から網戸を開いた時の水平断面図。
【図６】窓の屋外側に面ファスナーを取り付けた実施例の概略図。
【図７】図６の窓に設置する日除け本体の実施例を、窓と接する面から見た概略図。
【発明を実施するための形態】
【００１３】
以下、本発明の実施の形態を図面に基づき詳細に説明する。
図１は、本発明の実施形態を示す日除けを窓に設置する概観斜視図である。
図２は、図１の閉じられている引き違い窓のフレームに日除けを設置した状態の水平断面図である。
図３は、図２の状態から引き違い窓を開いた時の水平断面図である。
図４は、引き違い窓に付いている閉じられた網戸のフレームと窓の外枠に日除けを設置した状態の水平断面図である。
図５は、図４の状態から網戸を開いた時の水平断面図である。
図６は、の屋外側に面ファスナーを取り付けた実施例の概略図である。
図７は、図６の窓に設置する日除け本体の実施例を、窓と接する面から見た概略図である。
【００１４】
屋外側に配置された第１フレーム（４）と、屋内側に配置された第２フレーム（５）とが互いに引き違う窓または戸の透光部を覆って屋内に差し込む日光を遮る日除け装置であって、互いに着脱可能な第１部材と第２部材を有する接合部材と、窓または戸の透光部を覆う遮光性素材で形成されたシート状の日除け（１）と、を備え、
第２部材は、
第１フレームの屋外側の面（３ａ）と、
第２フレームにおいて窓または戸の開放時に第１フレームと重ならない部分の屋外側の面（３ｂ）、または、窓または戸を閉じた時に第２フレームが係合する上下に延びる窓または戸の外枠の屋外側の面（６ｂ）と、に設けられ、
第１部材は、
シート状の日除けにおいて第１フレームに設けられた第２部材（３ａ）と対応する位置（２ａ）と、
上記第２フレームに設けられた第２部材（３ｂ）、または、窓または戸の外枠に設けられた第２部材（６ｂ）と対応する位置（２ｂ）と、に設けられた日除け装置（１００）。
【００１５】
接合部材として、第１部材であるループ面と、第２部材である粘着式のフック面の２つで１対をなす面ファスナーを用いる。
【００１６】
窓に網戸がない場合（図２ならびに図３）、粘着式の面ファスナーのフック面（３ａ）を第１フレーム（４）の屋外側に、同様の面ファスナーのフック面（３ｂ）を第２フレーム（５）の屋外側の左辺のみに貼り付ける。
第２フレーム（５）を、屋外側から向かって右へと開放した状態（図３）では、屋外側から向かって左側半分の日除けが解放される。
第１フレーム（４）を、屋外側から向かって左へと開放した状態では、屋外側から向かって右側半分の日除けが解放される。
【００１７】
窓に網戸がある場合（図４ならびに図５）、網戸のフレームを第１フレームとして、粘着式の面ファスナーのフック面（３ａ）を網戸のフレーム（１０）の屋外側に、同様の面ファスナーのフック面（６ｂ）を窓の外枠（６）の屋外側から向かって右側の縦の辺に貼り付ける。
面ファスナー（６ｂ）を窓の外枠（６）ではなく、図２並びに図３のように窓フレーム（４）もしくは（５）に貼り付けた場合、  網戸を開放する際に途中で面ファスナーが干渉して、網戸を完全に開放することはできない。
窓フレームの代わりに窓の外枠（６）に面ファスナー（６ｂ）を貼り付けることで、網戸の開放に干渉せず、網戸を完全に開放することができる。
しかし、図４ならびに図５のように窓の外枠（６）の屋外側から向かって右側の縦の辺に面ファスナー（６ｂ）を  貼り付けた場合、網戸を屋外側から向かって右側へと動かすことによって、向かって左側半分の日除けを開放することが出来るが、右側半分は開放することは出来なくなる。
逆に窓の外枠（６）の、屋外側から向かって左側の縦の辺に面ファスナー（６ｂ）を貼り付けた場合、向かって左側の日除けは開放する事が出来ず、右側半分のみの開放になる。
【００１８】
図４ならびに図５の、網戸付きの窓に日除けを設置する場合の実施例を図６ならびに図７に示す。
【００１９】
図６の窓は、外枠の開口部が高さ約１８０ｃｍ、幅約１７０ｃｍの、ベランダに面したアルササッシの掃き出し窓を想定する。
窓の外枠（６）の、屋外側から向かって右側の縦の辺に粘着式の面ファスナー（６ｂ）を貼り付けるので、日除けは網戸を屋外側から向かって左へ動かすことで閉じ、右へ動かすことで開放することになり、向かって右側半分の日除けは開放することはできず、向かって左側の窓と網戸を開くことによって日除けの左側半分のみ開放可能になり、そこを通ってベランダへの出入りを行うことになる。
面ファスナーは、長さ１０ｃｍ、幅１ｃｍ程度の長方形のものを、合計１５対用いる。
窓側の設置箇所は、屋外側から向かって右側の窓の外枠（６）に、上端と下端と、全体を４等分する位置に３つの計５つ（６ｂ）と、網戸のフレーム（１０）の４角と、左辺を４等分する位置に３つと、上辺、左辺、右辺のそれぞれ２等分する位置に１つずつ、計１０箇所（３ａ）に、粘着式のフック面の面ファスナーを貼り付ける。
【００２０】
図７の日除けは、窓の外枠より若干大きめの遮光ネット（１）を用い、図６の面ファスナーに相対する位置（２ａ  ならびに  ２ｂ）にループ面の面ファスナーを取り付けることで作成する。
この日除けを、窓側の面ファスナーと接合させることによって窓に設置する。
【符号の説明】
【００２１】
１．  日除け
２ａ.   第１部材：日除け上、第２部材（３ａ)と接合
２ｂ.   第１部材：日除け上、第２部材（３ｂ  あるいは  ６ｂ）と接合
３ａ.   第２部材：第１フレーム（４）あるいは網戸のフレーム（１０）上
３ｂ.   第２部材：第２フレーム（５）上
４．第１フレーム
５．第２フレーム
６．窓の外枠
６ｂ. 第２部材：窓の外枠（６）上
７．レール溝
８．外壁面
９．網戸
１０．網戸のフレーム
１１．内壁面
１９．窓ガラス
１００．日除け装置
【図１】
2016050467.tif 000003
【図２】
2016050467.tif 000004
【図３】
2016050467.tif 000005
【図４】
2016050467.tif 000006
【図５】
2016050467.tif 000007
【図６】
2016050467.tif 000008
【図７】
2016050467.tif 000009